(57)【要約】【課題】熱交換器より排出されるドレインを集水、排出する排水用ホッパーを、着脱自在に構成することにより、熱交換器の排水管を分解することなく短時間に分割して取付け又は取外しが可能である排水用ホッパーを提供する。【解決手段】筒状部１は、建物に設けられた図示されない熱交換器からのドレインが排出される排水管２の下端２ａが挿入され、逆錐体状の受け皿３は、筒状部１の下端１ａに着脱自在に嵌着され、ドレインが集水され、排水導入管４は、受け皿３の底部３ａに着脱自在に嵌着され、ドレインが排出される。筒状部１の外周面１ｂに設けられる突起部６は受け皿３の周壁３ｂに設けられる切欠き部７と係合される。受け皿３が排水導入管４と嵌着される部位４ａは、接着剤８により分解可能程度に接合される。熱交換器の排水管２を分解することなく、排水用ホッパー５を分割して短時間に取付け又は取外しが可能である。又、改修等への対応性も高い。【選択図】                図１
2005002624.tif 000002
【特許請求の範囲】
【請求項１】
分割自在の複数の部材より成ることを特徴とする排水用ホッパー。
【請求項２】
前記部材は、建物に設けられた熱交換器からのドレインが排出される排水管の下端が挿入される筒状部と、前記筒状部の下端に着脱自在に嵌着され、前記ドレインが集水されるような逆錐体状の受け皿と、前記受け皿の底部に着脱自在に嵌着され、前記ドレインが排出される排水導入管と、から成る請求項１記載の排水用ホッパー。
【請求項３】
前記筒状部は、前記筒状部の外周面に設けられる突起部が前記受け皿の周壁に設けられる切欠き部と係合されて嵌着される請求項１記載の排水用ホッパー。
【請求項４】
前記受け皿が前記排水導入管と嵌着される部位は、接着剤により分解可能程度に接合される請求項１記載の排水用ホッパー。
【発明の詳細な説明】
【０００１】
【発明の属する技術分野】本発明は、建物に設けられる熱交換器より排出されるドレインを集水して熱交換器の外部の排水用管路に導入する排水用ホッパーに関する。
【０００２】
【従来の技術】
従来、例えば、特開平５−３１２４１３（特許文献１）に示されるように、家庭用給水給湯配管装置から排出されるドレインを集水する排水用ホッパーを装置の配管枠下部に固定する。ドレイン及び水抜き水は排水用ホッパーで受けられ、排水用配管に導入される。このため、当装置の凍結防止時の水抜き作業が容易にできると共に、電気温水器や給水、給湯逃し弁よりの排水を一括してコンパクトに処理できる。  又、装置を固定する足を高さ方向に調整可能の構造としたため、現場の必要な排水勾配に合わせて排水用ホッパーの設置高さを容易に調整できる。
【０００３】
【特許文献１】
特開平５−３１２４１３（特許請求の範囲、００１４、００２３、００２７、図１、図３、図４）
【０００４】
【発明が解決しようとする課題】
そこで、本発明は、熱交換器より排出されるドレインを集水、排出する排水用ホッパーを、着脱自在に構成することにより、熱交換器の排水管を分解することなく短時間に分割して取付け又は取外しが可能である排水用ホッパーを提供することを目的とする。
【０００５】
【課題を解決するための手段】
請求項１の本発明は、分割自在の複数の部材より成ることを特徴とする排水用ホッパーである。
【０００６】
請求項２の本発明は、前記部材は、建物に設けられた熱交換器からのドレインが排出される排水管の下端が挿入される筒状部と、前記筒状部の下端に着脱自在に嵌着され、前記ドレインが集水されるような逆錐体状の受け皿と、前記受け皿の底部に着脱自在に嵌着され、前記ドレインが排出される排水導入管と、から成る請求項１記載の排水用ホッパーである。
【０００７】
請求項３の本発明は、前記筒状部は、前記筒状部の外周面に設けられる突起部が前記受け皿の周壁に設けられる切欠き部と係合されて嵌着される請求項１記載の排水用ホッパーである。
【０００８】
請求項４の本発明は、前記受け皿が前記排水導入管と嵌着される部位は、接着剤により分解可能程度に接合される請求項１記載の排水用ホッパーである。
【０００９】
請求項１の本発明によれば、図１及び図２に示されるように、排水用ホッパーは分割自在の複数の部材より成る。
このため、図示されない熱交換器の排水管２を分解することなく、排水用ホッパー５を分割して短時間に取付け又は取外しが可能である。
【００１０】
請求項２の本発明によれば、図１及び図２に示されるように、前記部材は、筒状部１は、建物に設けられた図示されない熱交換器からのドレインが排出される排水管２の下端２ａが挿入され、逆錐体状の受け皿３は、筒状部１の下端１ａに着脱自在に嵌着され、ドレインが集水され、排水導入管４は、受け皿３の底部３ａに着脱自在に嵌着され、ドレインが排出される。
このため、図示されない熱交換器の排水管２を分解することなく、排水用ホッパー５を分割して短時間に取付け又は取外しが可能である。また現地での施行条件に応じて、設計変更や改修等にも容易に対応可能である。
【００１１】
請求項３の本発明によれば、図１及び図２に示されるように、筒状部１は、筒状部１の外周面１ｂに設けられる突起部６が受け皿３の周壁３ｂに設けられる切欠き部７と係合されて嵌着される。
このため、筒状部１と受け皿３の係合は、容易に掛け外しが可能で、且つ、排水用ホッパーとしての構造体を保持することができる。
【００１２】
請求項４の本発明によれば、図１及び図２に示されるように、受け皿３が排水導入管４と嵌着される部位４ａは、接着剤８により分解可能程度に接合される。
このため、ドレインが排水ホッパー５の外部に漏水することがなく、安定した排水機能を果たし、又、排水用ホッパーとしての構造体を保持することができる。
【００１３】
【発明の実施の形態】
以下、本発明を、その実施の形態に基づいて説明する。
本発明の排水用ホッパーの一実施の形態は、図１、図２、及び、図３に示されるように、排水用ホッパー５は分割自在の複数の部材、例えば、筒状部１、受け皿３、及び、排水導入管４の３個より成る。しかし、この３個には限定されない。筒状部１は、建物に設けられた図示されない熱交換器、例えばクーラー等からのドレインが排出される排水管２の下端２ａが挿入される。  筒状部１の外周面１ｂに設けられる突起部６が受け皿３の周壁３ｂに設けられる切欠き部７と係合されて嵌着される。筒状部１の断面形状は、円形、角形いずれでも良く、好適には下部に嵌着される受け皿３の開口形状に準じる。  筒状部１の高さは図示されない熱交換器、例えばクーラー等の排水管２の下端２ａの位置、高さにより限定されない。又、高さ方向に複数段より成る高さ調整可能な構造も取り得る。外周面１ｂに設けられる突起部６の位置や数も限定されない。筒状部１の下端１ａと受け皿３との嵌着は、他に、爪掛け等ワンタッチで着脱できる構造も含まれる。
【００１４】
次に、逆錐体状の受け皿３は、図４に示されるように、筒状部１の下端１ａに着脱自在に嵌着され、ドレインが集水され、排水導入管４は、受け皿３の底部３ａに着脱自在に嵌着され、ドレインが排出される。受け皿３の形状は、好適には逆円錐、逆角錐であるが、必ずしも限定されない。受け皿３の周壁３ｂの高さは、皿状の如く低いほど筒状部の下部１ａとの着脱性は良いが、嵌着の安定性も考慮して決められる。又、受け皿３が排水導入管４と嵌着される部位４ａは、ドレインが受け皿３の外部に漏水するのを防止するのと、脱落防止のため接着剤８により分解可能程度に接合される。  接着剤はシーリング機能及び分解可能程度の接着力があれば良く、半硬化性の材料も選択できる。
【００１５】
更に、排水導入管４は、図５に示されるように、受け皿３の底部３ａに着脱自在に嵌着され、ドレインが排出される。排水導入管４の断面形状も円形、角形のいずれでも良く、高さも現地の配管の仕様等に準じて選択できる。又、外形はストレートの他にクランク形状もあり、排水導入管４を軸中心に回転させることにより熱交換器、例えばクーラー等の排水管２の位置範囲に、より広い対応が可能となる。
筒状部１、受け皿３、及び、排水導入管４の使用材料は、排水という用途から、好適には塩化ビニール等の合成樹脂であるが、鉄、ブリキ板、ステンレスなども選択可能である。
このため、図示されない熱交換器、例えばクーラー等の排水管２を分解することなく、排水用ホッパー５を分割して短時間に取付け又は取外しが可能である。また現地での施工条件に応じて、設計変更や改修等にも容易に対応可能である。
【００１６】
本発明の排水用ホッパーの他の実施の形態は、図１、図２、及び、図３における筒状部１を縦方向に二等分割し、且つ一方の分割面を、好適には回転ヒンジを介して連結させ、筒状部１を開閉可能とし、更にその下端部１ａにて受け皿３と嵌着される排水用ホッパーである。このため、図示されない熱交換器の排水管２を分解することなく、排水用ホッパー５を分割して短時間に取付け又は取外しが可能である。
【００１７】
【発明の効果】本発明は、以上説明したように、熱交換器より排出されるドレインを集水、排出する排水用ホッパーを、筒状部、受け皿、及び、排水導入管の３個の部材から着脱自在に構成することにより、熱交換器の排水管を分解することなく、短時間に分割して取付け又は取外しが可能となり、又、現地での施行条件に応じて、設計変更や改修等にも容易に対応できるという効果を奏する。
【図面の簡単な説明】
【図１】本発明の一実施の形態の斜視図である。
【図２】図１のＡ視断面図である。
【図３】図３（ａ）は図１の実施の形態を構成する筒状部の平面図である
図３（ｂ）は図３（ａ）のＢ視断面図である。
【図４】図４（ａ）は図１の実施の形態を構成する受け皿の平面図である
図４（ｂ）は図４（ａ）のＣ視断面図である。
【図５】図５（ａ）は図１の実施の形態を構成する排水導入管の平面図である
図５（ｂ）は図５（ａ）のＤ視断面図である。
【符号の説明】
１  筒状部            １ａ    下端部          １ｂ  外周面
２  排水管            ２ａ    排水管の下端    ３  受け皿
３ａ  底部              ３ｂ  周壁            ４  排水導入管
４ａ  嵌着される部位    ５  排水ホッパー      ６  突起部
７  切欠き部            ８  接着剤
【図１】
2005002624.tif 000003
【図２】
2005002624.tif 000004
【図３】
2005002624.tif 000005
【図４】
2005002624.tif 000006
【図５】
2005002624.tif 000007